(57)【要約】【課題】分岐線コネクタの挟持部を締め付ける際の回転モーメントを本線との係合によって支持して作業性良く高い信頼性をもって接続できるようにする。【解決手段】本体１１の一端部に分岐線コネクタの回り止め頭部を嵌合固定する固定部１２を設け、本体１１の他端部に締め付け頭部に嵌合可能なソケット２７を回転操作可能にかつ固定部１２に向けて移動付勢可能に支持した回転操作部１３を設け、本体１１の両側に本線を挿入して位置決め可能な位置決め溝２１を回転中心に対して放射方向に形成した位置決めホイール１８を配設し、かつ位置決めホイール１８を一定以上の力の作用下で回転可能に回転規制しかつ位置決め溝が分岐線コネクタの本線の挟持部の両側に位置した状態で係止させる回転規制機構２２を設けた。【選択図】        図１
2004236430.tif 000002
【特許請求の範囲】
【請求項１】
本線と分岐線の挟持部が上下に並設されかつそれらの間を直交する方向に貫通するとともにその両端に回り止め頭部と締め付け頭部を有する締め付けねじ機構を設けて成る分岐線コネクタを装着する本体を備え、本体の一端部に回り止め頭部を嵌合固定する固定部を設け、本体の他端部に締め付け頭部に嵌合可能なソケットを回転操作可能にかつ固定部に向けて移動付勢可能に支持した回転操作部を設け、本体の両側に、本線を挿入して位置決め可能でかつ締め付けねじ機構の軸芯を通る平面に対して交叉する方向に本線と係合する１又は複数の位置決め溝を有する位置決め部材を配設し、かつ位置決め溝に本線を容易に挿入可能な位置と位置決め溝が分岐線コネクタの本線の挟持部の両側に位置した位置との間で位置決め部材を移動可能に支持する機構を設けたことを特徴とする分岐線コネクタの着脱装置。
【請求項２】
位置決め部材として、本体の両側に本線を挿入して位置決め可能な１又は複数の位置決め溝を回転中心に対して放射方向に形成した位置決めホイールを配設し、かつ位置決めホイールを一定以上の力の作用下で回転可能に回転規制しかつ位置決め溝が分岐線コネクタの本線の挟持部の両側に位置した状態で係止させる回転規制機構を設けたことを特徴とする請求項１記載の分岐線コネクタの着脱装置。
【請求項３】
回転操作部は、回転可能に支持された回転操作軸と、回転操作軸から回転力を伝達されかつ出退自在に支持された回転伝達出退軸と、回転伝達出退軸を突出付勢するばねと、回転伝達出退軸を退入状態で解除可能に係止する係止機構と、回転伝達出退軸の先端部に退入可能に突出付勢された状態で装着されたソケットとを備えたことを特徴とする請求項１又は２記載の分岐線コネクタの着脱装置。
【発明の詳細な説明】
【０００１】
【発明の属する技術分野】
本発明は、高圧の本線に分岐線を接続する分岐線コネクタを本線に対して着脱する着脱装置に関し、特に直接・間接活線工法において被覆貫通型分岐線コネクタを着脱する場合に好適に適用できる分岐線コネクタの着脱装置に関するものである。
【０００２】
【従来の技術】
従来から、図１４に示すように、７０００Ｖ以下の高圧の本線２からトランスＴなどに電力を取り出す際には、分岐線コネクタ１を用いて本線２に分岐線３を接続することが知られている。また、分岐線コネクタ１として、図１５に示すように、本線２と分岐線３の端部を平行状態でそれぞれ挟持するとともに内周に鋸歯状突起９を有する一対の挟持部４、５と両挟持部４、５間を直交方向に貫通して設けられた締め付けねじ機構６とを備え、一対の挟持部４、５に本線２と分岐線３の端部を挿通した状態で締め付けねじ機構６を操作することで、挟持部４、５にて本線２及び分岐線３がそれぞれ強く挟持されて鋸歯状突起９が絶縁被覆を貫通して芯材に貫入し、本線２と分岐線３が接続されるようにした被覆貫通型の分岐線コネクタ１が知られている。この分岐線コネクタ１においては、締め付けねじ機構６の両端に、締め付け操作用の絶縁性樹脂からなる回り止め頭部７と締め付け頭部８を備えている。
【０００３】
このような分岐線コネクタ１を用いて安全かつ迅速に本線２と分岐線３を接続し、若しくは取り外すことができるようにした着脱装置も知られている（例えば、特許文献１参照。）。その着脱装置は、正逆回転操作可能な締め付け用のソケットと、その両側に設けられてコネクタ１を所定位置に保持する保持板と、ソケット側に向けて移動付勢されるとともにコネクタ１の回り止め頭部７を嵌合保持する嵌合穴を有する押圧板とを備えており、分岐線３の端部を一方の挟持部５に挟持させた状態でコネクタ１を着脱装置に装着するとともにこの着脱装置を絶縁操作棒の先端に装着し、絶縁操作棒を持って本線２に着脱装置を近づけ、コネクタ１の他方の挟持部４に本線２を挿入させ、その状態で絶縁操作棒を介してソケットを回転操作することで、本線２と分岐線３を接続するように構成されている。
【０００４】
ところが、このような構成の着脱装置では、絶縁操作棒を持ってその先端に装着した着脱装置における他方の挟持部４に本線２が正しく挿入されるように着脱装置を位置決めする必要があるとともに、その状態でソケットの回転操作をする必要があるため、作業が難しく、作業性が良くないという問題があった。
【０００５】
そこで、図１６に示すように、着脱装置５０の本体部５１の両側に、本体部５１に対する本線２の相対位置を位置決めする十字型の位置決めホイール５３を配設したものも提案されている。位置決めホイール５３には中心部から十字状に突出された各腕部５４の一側から種々の本線２の線径に応じた溝幅の位置決め溝５５が卍状に形成されており、本線２の線径に応じて対応する位置決め溝５５が、本体部５１に装着されたコネクタの他方の挟持部の両側に位置するように、位置決めホイール５３の回転位置を選択固定できるように構成されている。なお、図１６においては、回り止め頭部７を嵌合保持する嵌合穴５６が本体部５１に固定的に設けられ、締め付け用のソケット５７がばね５８にて装着されたコネクタに向けて移動付勢されるとともに、操作具（図示せず）にて回転操作可能に構成されている。
【０００６】
このような構成により、絶縁操作棒の先端部に着脱装置５０を装着し、絶縁操作棒を持って位置決めホイール５３の位置決め溝５５を本線２の上部に近づけ、そのまま着脱装置５０を下降させて位置決め溝５５を本線２に嵌合させて保持させることで、着脱装置５０を位置決めすることができ、その状態でソケット５７を回転操作することによって本線２と分岐線３を接続することができる。
【０００７】
【特許文献１】
特開２００１−７８３２５号公報
【０００８】
【発明が解決しようとする課題】
ところが、図１６に示すような着脱装置の構成においても、本体部５１の両側の位置決め溝５５が本線２に上方から嵌合した状態で位置決め保持されているだけであるため、ソケット５７を回転操作すると、その反力によって、図１６に矢印ｓで示すように、本線２が位置決め溝５５から抜け出すような回転モーメントが本体部５１に作用し、ソケット５７の回転操作時に本体部５１が容易に回動してコネクタ１の挟持部４から本線２が離脱した状態で挟持部４を締め付けてしまう恐れがあり、接続状態の信頼性や作業性に問題を生じてしまう。
【０００９】
また、ソケット５７にコネクタの絶縁樹脂製の締め付け頭部８を嵌合させて締め付ける際に、その破断屑がソケット５７内に残ることがあり、コネクタの締め付け頭部７にソケット５７を確実に嵌合させるためには、常にソケット５７内に残った屑をドライバー等で掻きだして清掃する必要があり、煩雑な作業が必要となるという問題もあった。
【００１０】
本発明は、上記従来の問題点に鑑み、分岐線コネクタの挟持部を締め付ける際の反力による回転モーメントを本線との係合によって支持できて作業性良く高い信頼性をもって接続することができ、またソケット内に残った屑も簡単に除去できて締め付け頭部にソケットを確実に嵌合させることができる分岐線コネクタの着脱装置を提供することを目的とする。
【００１１】
【課題を解決するための手段】
本発明の分岐線コネクタの着脱装置は、本線と分岐線の挟持部が上下に並設されかつそれらの間を直交する方向に貫通するとともにその両端に回り止め頭部と締め付け頭部を有する締め付けねじ機構を設けて成る分岐線コネクタを装着する本体を備え、本体の一端部に回り止め頭部を嵌合固定する固定部を設け、本体の他端部に締め付け頭部に嵌合可能なソケットを回転操作可能にかつ固定部に向けて移動付勢可能に支持した回転操作部を設け、本体の両側に、本線を挿入して位置決め可能でかつ締め付けねじ機構の軸芯を通る平面に対して交叉する方向に本線と係合する１又は複数の位置決め溝を有する位置決め部材を配設し、かつ位置決め溝に本線を容易に挿入可能な位置と位置決め溝が分岐線コネクタの本線の挟持部の両側に位置した位置との間で位置決め部材を移動可能に支持する機構を設けたものである。
【００１２】
この構成によれば、分岐線コネクタの一方の挟持部に分岐線の端部を挟持させた状態で回り止め頭部を固定部に嵌合固定して分岐線コネクタを本体に装着し、本体両側の位置決め部材の位置決め溝に本線を挿入した後、位置決め部材をその位置決め溝が他方の挟持部の両側に位置するように移動させ、その後回転操作部を操作してソケットを締め付け頭部に嵌合させて回転操作することで挟持部を締め付けて本線と分岐線を作業性良く接続することができ、かつその締め付け時の反力による回転モーメントは、本体両側で位置決め溝と本線が回転方向に対して係合していることで本線によって支持され、そのため本体の回転によって挟持部から本線が抜け出すようなことがなく、作業性良く高い信頼性をもって接続することができる。なお、位置決め部材に位置決め溝は１つだけ設けてもよいが、本線の各種の線径に対応できるように複数の溝幅の位置決め溝を設けておくのが好ましい。
【００１３】
また、位置決め部材として、本体の両側に本線を挿入して位置決め可能な１又は複数の位置決め溝を回転中心に対して放射方向に形成した位置決めホイールを配設し、かつ位置決めホイールを一定以上の力の作用下で回転可能に回転規制しかつ位置決め溝が分岐線コネクタの本線の挟持部の両側に位置した状態で係止させる回転規制機構を設けると、本体両側の位置決めホイールを位置決め溝に本線を容易に挿入できる回転位置に位置させた状態で、本体を本線の接続箇所の上方位置に位置させた後下降させて位置決め溝に本線を挿入し、引き続いて本体を移動させて位置決めホイールを回転させると本線が他方の挟持部に挿通された位置で位置決めホイールが係止されるので、一層容易かつ確実に作業性良く本線と分岐線を接続することができる。
【００１４】
また、回転操作部は、回転可能に支持された回転操作軸と、回転操作軸から回転力を伝達されかつ出退自在に支持された回転伝達出退軸と、回転伝達出退軸を突出付勢するばねと、回転伝達出退軸を退入状態で解除可能に係止する係止機構と、回転伝達出退軸の先端部に退入可能に突出付勢された状態で装着されたソケットとを備えると、係止機構を解除することでソケットが突出移動して締め付け頭部に嵌合し、その状態で回転操作軸を回転させることで挟持部を締め付けて接続することができ、かつ接続完了後、ソケットを退入動作させることで内部に残った破断屑を簡単にソケットから除去することができ、ソケットを締め付け頭部に確実に嵌合させることができる。
【００１５】
なお、本体の一端部の固定部が、回り止め頭部を嵌合可能な嵌合溝と、回り止め頭部を押圧固定する押圧片と、押圧片を移動操作するねじ機構とを備えると、回り止め頭部を嵌合溝に嵌合させてねじ機構にて押圧片を移動させて回り止め頭部を押圧固定することで、分岐線コネクタを本体に容易かつ確実に装着することができる。
【００１６】
また、本体部の一端部と他端部の間に、分岐線コネクタの上側面が当接する高さの異なる複数の支承面を有するとともに任意の支承面を一端部に隣接する位置に位置切換可能な支承部材を配設すると、仕様の異なる分岐線コネクタに対しても支承部材の位置を切り換えるだけで、回り止め頭部を固定部にて固定し、その上側面を支承面で支承した状態で、分岐線コネクタを本体に確実に装着することができる。
【００１７】
【発明の実施の形態】
以下、本発明の分岐線コネクタの着脱装置の一実施形態について、図１〜図１３及び図１５を参照して説明する。
【００１８】
まず、分岐線コネクタの着脱装置の構成を説明するのに先立って分岐線コネクタの構成を図１５を参照して説明する。図１５において、１は本線２に分岐線３を接続するための分岐線コネクタで、本線２の挟持部４が下部に、分岐線３の挟持部５が上部に並列して配設され、かつそれらの間を直交する方向に貫通する締め付けねじ機構６が設けられ、この締め付けねじ機構６の両端に配設された回り止め頭部７と締め付け頭部８の間で回転操作すると、挟持部４、５にて本線２と分岐線３が強く挟持され、それらの内周に設けられている鋸歯状突起９が本線２及び分岐線３の絶縁被覆を突き破って芯線に貫入し、本線２と分岐線３が接続されるように構成されている。
【００１９】
図１〜図６において、１０は分岐線コネクタの着脱装置であり、本体１１の一端部に固定部１２が、他端部に回転操作部１３が設けられ、全体形状が下方開放のコ字状に構成されている。固定部１２には、回り止め頭部７を嵌合させる嵌合溝１４が形成されるとともに、その下部に回り止め頭部７を下方から押圧固定する押圧片１５が配置され、かつこの固定片１５を上下移動させるねじ機構１６が設けられている。このねじ機構１６の下端には操作棒にて遠隔回転操作可能な操作リング１６ａが設けられている。
【００２０】
固定部１２を回転自在に貫通して両側に突出する支持軸１７が設けられ、その両側の突出部に一対の位置決めホイール１８のボス部１９が固定されている。各位置決めホイール１８は十字状に突出する４つの腕２０を有し、各腕２０の先端部に回転中心から放射状に延びて先端で開放される位置決め溝２１が形成されている。各位置決め溝２１は、各種の径の本線２を挿入して位置決めできるように互いに異なる所定の溝幅に形成されている。
【００２１】
また、位置決めホイール１８を一定以上の力の作用下で回転可能に回転規制しかつ任意の位置決め溝２１が本体１に装着された分岐線コネクタ１の挟持部４の両側に位置した状態で係止させる回転規制機構２２が設けられている。この回転規制機構２２は、図４、図５に示すように、一方の位置決めホイール１８のボス部１９の外周に、位置決め溝２１の配置位置に対応して係止穴２３を形成するとともにその近傍に平坦面２４を形成し、固定部１２の下端に、係止穴２３を形成したボス部１９の外周に対向するブラケット２５を固定し、かつこのブラケット２５に係止穴２３の配置位置に対応させて係合ピン２６を配設するとともにこの係合ピン２６の先端がボス部１９の外周面に圧接するとともに係止穴２３に嵌入係合するように突出付勢して構成されている。なお、係合ピン２６は後述の回転操作部１３の係合ピン３５と同様の構成であり、詳細構成の説明は省略する。また、係合ピン２６の下端には係止を解除操作する操作リング２６ａが設けられている。
【００２２】
回転操作部１３は、分岐線コネクタ１の締め付け頭部８に嵌合可能なソケット２７を回転操作可能にかつ固定部１２に向けて移動付勢可能に支持している。具体的には、図６に示すように、本体１１の他端部に固定された固定ブロック２８に、一端に底部２９ａを有する有底筒状の支持筒体２９の一端部が嵌合固定されている。この支持筒体２９の他端部が図１に仮想線で示すように遠隔操作棒３０の先端に連結可能に構成され、遠隔操作棒３０にて着脱装置１０を操作して本線２と分岐線３の接続作業を行うように構成されている。
【００２３】
支持筒体２９内の他端部に、他端に遠隔操作棒３０による回転力を伝達する六角形の角軸部３１ａが形成され、一端側に所定長さの六角形の角穴３１ｃを有する筒軸部３１ｂが形成された回転操作軸３１が回転自在に配設されている。支持筒体２９内の一端部には、他端部に角穴３１ｃに摺動自在に嵌合する角軸部３２ａが形成され、それに隣接して鍔部３２ｂが形成され、一端側が支持筒体２９の一端の底部２９ａを回転及び摺動自在に貫通して突出し、先端にソケット２７が装着される回転伝達出退軸３２が配設されている。筒軸部３１ｂの基端外周段面と鍔部３２ｂとの間に圧縮ばね３３が介装されて回転伝達出退軸３２が突出され、かつ回転伝達出退軸３２を圧縮ばね３３の付勢力に抗して退入させた状態で係止する係止機構３４が設けられている。
【００２４】
係止機構３４は、回転伝達出退軸３２の一端近傍に環状溝３５を形成するとともに、固定ブロック２８の下面に、支持筒体２９の底部２９ａを貫通してこの環状溝３５に嵌入係合するように突出付勢された係合ピン３６を配設して構成されている。係合ピン３６は、図６（ｂ）に示すように、中間部内周に段部３７ａが形成されその下部に直径方向のスリット３７ｂが形成された筒ケース３７内に移動自在に貫通配置されている。係合ピン３６の先端から適当距離の位置にリング３８が装着され、このリング３９と段部３７ａの間に圧縮ばね３９が介装されるとともに、係合ピン３６を直径方向に貫通させた割りピン４０がスリット３７ｂに係合され、かつ係合ピン３６の下端には圧縮ばね３９の付勢力に抗して係止を解除操作する操作リング３６ａが設けられている。
【００２５】
回転伝達出退軸３２の一端部にはソケット２７が出退自在に嵌合されるとともに、ソケット２７の基端部に直径方向に嵌着したピン４１を回転伝達出退軸３２の一端近傍に形成した適当長の直径方向の長穴４２に挿通係合させている。回転伝達出退軸３２の長穴４２から適当距離離れた位置にリング４３が装着され、このリング４３とソケット２７の間に圧縮ばね４４が介装され、ソケット２７が締め付け頭部８に嵌合可能な状態に突出付勢されている。また、ソケット２７を退入させると、図６（ｃ）に実線で示すように、回転伝達出退軸３２の先端面とソケット２７の先端面がほぼ面一になって、ソケット２７内の破断屑が除去されるように構成されている。
【００２６】
本体１１の一端部と他端部の間には、図１〜図４に示すように、分岐線コネクタ１の上側面が当接する高さの異なる複数の支承面４５ａ、４５ｂを有する支承部材４５が配設されている。支承部材４５の中央部には本体１１を貫通する切換操作ピン４６の下端が固定され、かつ切換操作ピン４６の頭部４６ａと本体１１の上面との間に圧縮ばね４７が介装されている。かくして、切換操作ピン４６の頭部４６ａを押し下げて回すことで、支承部材４５を回転させ、任意の支承面４５ａ、４５ｂを固定部１２に隣接する位置に位置切換を行って、任意の仕様の分岐線コネクタ１の上側面を支承できるように構成されている。
【００２７】
以上の構成において、本線２に分岐線３を接続する作業においては、分岐線コネクタ１の挟持部５に分岐線３の端部を挟持させておき、この分岐線コネクタ１を着脱装置１０の本体１１に装着する。その際、図７に示すように、本体１１の固定部１３の嵌合溝１４に分岐線コネクタ１の回り止め頭部７を嵌合し、ねじ機構１６の操作リング１６ａを矢印ａのように回転操作して押圧片１５を移動させることで、図８に示すように、回り止め頭部７が押圧固定されて分岐線コネクタ１の装着が完了する。また、その装着状態で、分岐線コネクタ１の上側面が支承部材４５の支承面４５ａにて支承される。なお、仕様の異なる分岐線コネクタ１を装着する際には、切換操作ピン４６を押し下げて回転し、対応する支承面４５ｂに切り換えることで、回り止め頭部７を固定部１３にて一定位置で固定しながら、分岐線コネクタ１の上側面を支承面４５ａ又は４５ｂで支承した状態で、分岐線コネクタ１を本体１１に確実に装着することができる。
【００２８】
次に、図９に示すように、本体１１の両側の位置決めホイール１８を、その位置決め溝２１に本線２を容易に挿入できるように、本体１１に対して腕２０が斜めに傾斜した回転位置に位置させた状態で回転規制機構２２にて保持し、その状態で遠隔操作棒３０にて本体１１を本線２の接続箇所の上方位置に位置させた後、矢印ｂのように、本体１１を下降させて位置決め溝２１に本線２を挿入し、引き続いて本体１１を矢印ｃのように移動させて位置決めホイール１８を回転させる。すると、図１０に示すように、本線２が分岐線コネクタ１の挟持部４に挿通された位置で回転規制機構２２の係合ピン２６が係止穴２３に嵌入係合して位置決めホイール１８が係止される。
【００２９】
その後、回転操作部１３の係止機構３４における操作リング３６ａを矢印ｄに示すように引き下げて係合ピン３６と環状溝３５の係合を解除すると、回転伝達出退軸３２が圧縮ばね３３の付勢力にて突出し、その先端のソケット２７が締め付け頭部８に嵌合する。なお、係止機構３４の解除動作は、本体１１を本線２の上方に持ち上げる前の図８の状態で行ってもよい。
【００３０】
次いで、遠隔操作棒３０に内蔵された回転操作機構にて回転操作軸３１を矢印ｅの如く回転させることで、分岐線コネクタ１の締め付け頭部８を回転して締め付けねじ機構６にて挟持部４、５を締め付けることができて本線２と分岐線３を分岐線コネクタ１にて作業性良く接続することができる。この締め付け作業時に、締め付け力の反力による回転モーメントが本体１１に作用するが、その回転モーメントは、位置決めホイール１８に放射方向に形成された位置決め溝２１に本線２が係合していることで本線２によって支持され、そのため本体１１の回転が確実に防止されて挟持部４から本線２が抜け出すようなことがなく、作業性良く高い信頼性をもって接続することができる。
【００３１】
接続完了は、図１１に示すように、本体１１を矢印ｆ方向に押圧移動させることで回転伝達出退軸３２及びソケット２７を圧縮ばね３３の付勢力に抗して退入させると、固定部１２の嵌合溝１４から回り止め頭部７が抜け出すとともに、本線２が位置決め溝２１から抜け出し、その状態で矢印ｇのように本体１１を上方に移動させることで、分岐線コネクタ１から本体１１を取り外すことができ、そのまま着脱装置１０を回収することができる。
【００３２】
また、その後図６（ｃ）に示すように、ソケット２７を圧縮ばね４４の付勢力に抗して矢印ｈの如く退入動作させると、ソケット２７内部に残った締め付け頭部８の破断屑を簡単にソケット２７から除去することができ、簡単な作業によってその後の接続作業時にソケット２７を締め付け頭部８に確実に嵌合させることができる。
【００３３】
一方、本線２と分岐線３の接続を切断するため、分岐線コネクタ１を取り外す作業を行う場合には、上記接続作業時の動作とは逆の動作を行えばよい。すなわち、図１２に示すように、位置決め溝２１に本線２を挿入できるように位置決めホイール１８を保持し、ソケット２７を退入させた状態で本体１１を本線２の上方に位置させ、矢印ｊの如く位置決め溝２１に本線２が挿入されるように、本体１１を矢印ｋの如く下降移動させ、その後本体１１を矢印ｌのように移動させて分岐線コネクタ１の回り止め頭部７を固定部１２の嵌合溝１４に嵌合させる。
【００３４】
次いで、図１３に示すように、回転操作部１３の係止機構３４の操作リング３６ａを遠隔操作棒（図示せず）にて矢印ｍの如く引下げ操作することで、回転伝達出退軸３２が突出動作してソケット２７が締め付け頭部８に嵌合し、その状態で遠隔操作棒３０にて回転操作軸３１を矢印ｎのように逆回転させることで本線２を挟持していた挟持部４が開いて接続状態が解除される。その後、本体１１を矢印ｐの如く一旦上方に引き上げることで本線２から分岐線コネクタ１を取り外すことができ、そのまま着脱装置１０を回収することができる。
【００３５】
なお、上記実施形態では、位置決めホイール１８に本線２の各種線径に対応して複数の位置決め溝２１を設けた例を示したが、単一の位置決め溝２１を設けるだけでも良いことはいうまでもない。
【００３６】
さらに、上記実施形態では回転可能な位置決めホイール１８を本体１１の両側に配設した例を示したが、装着された分岐線コネクタ１の締め付けねじ機構６の軸芯を通る平面と略平行な方向の１又は複数の位置決め溝２１を有する位置決め部材を本体１１の両側に配設し、かつこの位置決め部材を、位置決め溝２１に容易に本線２を挿入できる位置と位置決め溝２１が挟持部４の両側に位置する位置との間でスライド可能に支持するスライド機構を設けた構成としてもよい。
【００３７】
【発明の効果】
本発明の分岐線コネクタの着脱装置によれば、本体の両側に、本線を挿入して位置決め可能でかつ締め付けねじ機構の軸芯を通る平面に対して交叉する方向に本線と係合する位置決め溝を有する位置決め部材を配設し、かつ位置決め溝に本線を容易に挿入可能な位置と位置決め溝が分岐線コネクタの本線の挟持部の両側に位置した位置との間で位置決め部材を移動可能に支持する機構を設けたので、位置決め溝に本線を挿入して位置決め部材を移動することで本線を挟持部に位置決めでき、かつ挟持部の締め付け時にはその反力による回転モーメントが、本体両側で位置決め溝と本線が回転方向に係合していることで本線によって支持されるため、本体の回転によって挟持部から本線が抜け出すようなことがなく、作業性良く高い信頼性をもって接続することができる。
【図面の簡単な説明】
【図１】本発明の分岐線コネクタの着脱装置の一実施形態の全体斜視図である。
【図２】同実施形態の要部構成を異なる方向から見た斜視図である。
【図３】同実施形態の部分断面正面図である。
【図４】図３のＡ−Ａ矢視断面図である。
【図５】図４のＢ−Ｂ矢視断面図である。
【図６】同実施形態の回転操作部の構成を示し、（ａ）は部分断面正面図、（ｂ）は（ａ）のＣ−Ｃ矢視断面図、（ｃ）はソケットの退入状態の拡大断面図、（ｄ）はソケットの端面形状図である。
【図７】同実施形態における本体に対する分岐線コネクタの装着動作を示す斜視図である。
【図８】同実施形態における分岐線コネクタの装着状態を示す正面図である。
【図９】同実施形態における位置決め溝に本線を挿入する動作を示す正面図である。
【図１０】同実施形態における分岐線コネクタの締め付け動作を示す正面図である。
【図１１】同実施形態における接続完了後、本体を本線から離脱させる動作を示す正面図である。
【図１２】同実施形態における分岐線コネクタ取り外し時の本体の移動操作を示す正面図である。
【図１３】同実施形態における分岐線コネクタ取り外し動作を示す正面図である。
【図１４】分岐線コネクタを用いた本線と分岐線の接続状態を示す斜視図である。
【図１５】分岐線コネクタを示し、（ａ）は斜視図、（ｂ）は正面図である。
【図１６】従来例の分岐線コネクタの着脱装置の斜視図である。
【符号の説明】
１  分岐線コネクタ
２  本線
３  分岐線
４  挟持部
５  挟持部
６  締め付けねじ機構
７  回り止め頭部
８  締め付け頭部
１０  着脱装置
１１  本体
１２  固定部
１３  回転操作部
１４  嵌合溝
１５  押圧片
１６  ねじ機構
１８  位置決めホイール
２１  位置決め溝
２２  回転規制機構
２７  ソケット
３１  回転操作軸
３２  回転伝達出退軸
３３  圧縮ばね
３４  係止機構
４５  支承部材
４５ａ、４５ｂ  支承面
【図１】
2004236430.tif 000003
【図２】
2004236430.tif 000004
【図３】
2004236430.tif 000005
【図４】
2004236430.tif 000006
【図５】
2004236430.tif 000007
【図６】
2004236430.tif 000008
【図７】
2004236430.tif 000009
【図８】
2004236430.tif 000010
【図９】
2004236430.tif 000011
【図１０】
2004236430.tif 000012
【図１１】
2004236430.tif 000013
【図１２】
2004236430.tif 000014
【図１３】
2004236430.tif 000015
【図１４】
2004236430.tif 000016
【図１５】
2004236430.tif 000017
【図１６】
2004236430.tif 000018